(57)【要約】  コンテンツ検索システムを搭載した情報端末機を提供する。ユーザから質疑語を入力され、これを分析し、その分析結果から検索の類型を決定して索引情報データベースから検索を実行して検索結果を表示するが、該表示される検索結果からコンテンツ項目をユーザから選択され、該選択されたコンテンツ項目に対応するコンテンツをコンテンツデータベースから読み出して提供するように具現することで、情報検索技術とコンテンツ提供技術とを有機的に結合してユーザのコンテンツ接近が容易になり、ユーザが情報端末機を用いてコンテンツを簡便かつ迅速に検索して実行できるようにしたコンテンツ検索システムを搭載した情報端末機。
2010501927.tif 000002
【特許請求の範囲】
【請求項１】
質疑語（Ｑｕｅｒｙ）入力のための操作部と、
検索結果及びコンテンツ表示のための表示部と、
索引情報を保存する索引情報データベースと、コンテンツを保存するコンテンツデータベースとを保存するメモリと、
装置全般を制御するが、コンテンツ検索システムを実行して、前記操作部によって入力された質疑語に対する検索を実行し、検索結果を前記表示部を通じて表示するように処理する制御部と、を含むが、
前記コンテンツ検索システムは、
質疑語入力用のユーザインターフェース（ＵＩ）を提供し、これを通じてユーザから質疑語を入力される質疑語入力部と、
前記質疑語入力部によって入力された質疑語を分析する質疑語分析部と、
前記索引情報データベースを参照して、類型別検索を実行する多数の類型別検索エージェントと、前記質疑語分析部による分析結果から検索の類型を決定する検索類型決定部と、前記検索類型決定部によって決定された類型の検索エージェントを実行して管理する検索エージェント管理部と、前記類型別検索エージェントによって検索された検索結果に優先順位を決定し、該決定された優先順位によって検索結果を出力する検索結果出力部とを含む情報検索部と、
前記情報検索部から出力される検索結果に対する優先順位によって検索結果を表示するが、該表示される検索結果からコンテンツ項目を選択されるためのユーザインターフェースを提供し、これを通じてユーザからコンテンツ項目を選択される検索結果表示部と、
前記検索結果表示部によって選択されたコンテンツ項目に対応するコンテンツを前記コンテンツデータベースから読み出して提供するコンテンツ提供部と、を含んでなることを特徴とするコンテンツ検索システムを搭載した情報端末機。
【請求項２】
前記コンテンツ検索システムは、
コンテンツを入力されるコンテンツ入力部と、
前記コンテンツ入力部によって入力されるコンテンツを前記コンテンツデータベースに保存するコンテンツ保存部と、
前記コンテンツ入力部によって入力されるコンテンツからコンテンツ情報を抽出するコンテンツ情報抽出部と、
前記コンテンツ情報抽出部によって抽出されたコンテンツ情報を分析して索引対象情報を抽出するコンテンツ情報分析部と、
前記コンテンツ情報分析部によって抽出された索引対象情報を分析、分類及び価値付けして索引情報を生成させ、これを構造化して前記索引情報データベースに保存する索引情報処理部と、をさらに含むことを特徴とする請求項１に記載のコンテンツ検索システムを搭載した情報端末機。
【請求項３】
前記コンテンツ情報分析部は、
コンテンツ情報を構文分析する構文分析部と、
コンテンツ情報を切断分析する切断分析部と、を含むことを特徴とする請求項２に記載のコンテンツ検索システムを搭載した情報端末機。
【請求項４】
前記コンテンツ入力部は、
コンテンツ入力用のユーザインターフェース（ＵＩ）を提供し、これを通じてコンテンツを入力されることを特徴とする請求項２または３に記載のコンテンツ検索システムを搭載した情報端末機。
【請求項５】
前記コンテンツ入力部は、
サーバ接続及びコンテンツダウンロード用のユーザインターフェース（ＵＩ）を提供し、これを通じてユーザがサーバからコンテンツを選択してダウンロードされることを特徴とする請求項２または３に記載のコンテンツ検索システムを搭載した情報端末機。
【請求項６】
前記コンテンツ入力部は、
サーバからコンテンツを自動で更新されることを特徴とする請求項２または３に記載のコンテンツ検索システムを搭載した情報端末機。
【発明の詳細な説明】
【技術分野】
【０００１】
本発明は、コンテンツ検索システムを搭載した情報端末機に係り、特に、ユーザが質疑した内容に対する検索結果から選択されたコンテンツを提供する技術に関する。
【背景技術】
【０００２】
現在、大容量の多様な情報を迅速で正確に検索する機能を有した多様な形態の検索エンジンが多様な分野で利用されている。このような検索エンジンは、速いプロセス性能、大容量の保存空間、安定したネットワーク性能、システムの統合管理などの大型コンピューティングのための電算環境で活用され、最近には、インターネットウェブを通じて情報を検索することができるウェブポータルとしてのインターネット検索エンジンに進化した。
【０００３】
しかし、最近、情報機器の発展と保存容量の増大とによる携帯用個人情報端末機の普及が急増しながら、このような携帯用個人情報端末機でも大量の情報を対象に正確で速い情報検索が要求されており、これによる従来の情報検索方法は、大きく３種に分類することができる。第１の方法は、順次検索方法であり、この方法は、検索するための単語の最初の音節から最後の音節まで順に同じ音節を有する単語をデータベースから検索する方法である。第２の方法は、多段階検索であり、この方法は、大分類から小分類に次第に範囲を絞りながら検索して最終の所望の情報を獲得する方法である。第３の方法は、中間文字検索方法であり、検索したい単語の一部を有する情報をデータベースから直接獲得する方法である。この３種の方法は、ユーザが所望の情報を捜すには容易であるが、大量の情報を対象に迅速で便利に検索して提供するには限界がある。
【０００４】
したがって、情報検索技術をコンテンツ提供技術と連携してユーザのコンテンツ接近をさらに容易にさせ、大量の情報を迅速で便利に検索して、ユーザ便宜性を向上させることができる技術の必要性が高まっている。このような必要性によって、本発明者は、情報検索技術とコンテンツ提供技術とを有機的に結合して情報端末機に適用することで、ユーザのコンテンツ接近を容易にするコンテンツ検索システムを搭載した情報端末機についての研究を行った。
【発明の概要】
【発明が解決しようとする課題】
【０００５】
本発明は、前記課題を解決するために発明されたものであって、情報検索技術とコンテンツ提供技術とを有機的に結合してユーザのコンテンツ接近を容易にするコンテンツ検索システムを搭載した情報端末機を提供することをその目的とする。
【課題を解決するための手段】
【０００６】
前記目的を果たすための本発明の一態様によれば、本発明によるコンテンツ検索システムを搭載した情報端末機は、質疑語入力用のユーザインターフェース（ＵＩ）を通じてユーザから質疑語（Ｑｕｅｒｙ）を入力され、これを分析し、その分析結果から検索の類型を決定して索引情報データベースから検索を実行して検索結果を表示するが、該表示される検索結果からコンテンツ項目を選択されるためのユーザインターフェースを通じてユーザからコンテンツ項目を選択され、該選択されたコンテンツ項目に対応するコンテンツをコンテンツデータベースから読み出して提供することを特徴とする。
【０００７】
したがって、本発明は、情報検索技術とコンテンツ提供技術とを有機的に結合してユーザのコンテンツ接近が容易になり、ユーザが情報端末機を用いてコンテンツを簡便かつ迅速に検索して実行することができる長所を有する。
【発明の効果】
【０００８】
本発明によるコンテンツ検索システムを搭載した情報端末機は、情報検索技術とコンテンツ提供技術とを有機的に結合してユーザのコンテンツ接近が容易になり、ユーザが情報端末機を用いてコンテンツを簡便かつ迅速に検索して実行することができる有用な効果を有する。
【図面の簡単な説明】
【０００９】
【図１】本発明によるコンテンツ検索システムを搭載した情報端末機の概要図である。
【図２】本発明によるコンテンツ検索システムを搭載した情報端末機に搭載されるコンテンツ検索システムの一実施形態によるブロック図である。
【図３】本発明によるコンテンツ検索システムを搭載した情報端末機に搭載されるコンテンツ検索システムの検索手続きを示すフローチャートである。
【図４】本発明によるコンテンツ検索システムを搭載した情報端末機に搭載されるコンテンツ検索システムの索引情報保存手続きを示すフローチャートである。
【発明を実施するための形態】
【００１０】
以下、添付した図面を参照して、記述される望ましい実施形態を通じて本発明を当業者が容易に理解して再現できるように詳しく記述する。
【００１１】
図１は、本発明によるコンテンツ検索システムを搭載した情報端末機の概要図である。図面に図示したように、本発明によるコンテンツ検索システムを搭載した情報端末機１０は、操作部１１と、表示部１２と、メモリ１３と、制御部１４とを含んでなる。前記操作部１１は、ユーザ入力のための構成であって、ユーザは、この操作部１１を操作して質疑語（Ｑｕｅｒｙ）を入力する。前記表示部１２は、各種の画面出力のための構成であって、この表示部１２を通じて検索結果及びコンテンツが表示される。
【００１２】
前記メモリ１３は、ハードディスク、ＣＤ、フラッシュメモリなどの保存手段を通称するものであって、各種のデータを保存するための構成であり、索引情報データベース１１０と、コンテンツデータベース１２０とが保存される。前記索引情報データベース１１０は、索引情報を構造化して保存する。前記索引情報データベース１１０に索引情報を構造化して保存する技術は、本件の出願日前に既に多様に公知されて施行される通常の技術なので、これについてより具体的な説明は省略し、前記索引情報データベース１１０に索引情報を保存する技術構成に関連しては、今後具体的に説明する。前記コンテンツデータベース１２０は、ＭＰ３などの曲情報、ナビゲーションシステムのマップ情報、電子辞書の単語情報、動画情報、テレマティクス情報、ユビキタス情報などの各種のオンラインコンテンツを保存する。前記コンテンツデータベース１２０にコンテンツを保存する技術構成に関連しては、今後具体的に説明する。
【００１３】
前記制御部１４は、装置全般を制御するが、コンテンツ検索システムを実行して、前記操作部１１によって入力された質疑語に対する検索を実行し、検索結果を前記表示部１２を通じて表示するように処理する。したがって、本発明によるコンテンツ検索時ステムを搭載した情報端末機は、ユーザが操作部１１を操作して質疑語を入力すれば、前記制御部１４が、コンテンツ検索システムを実行して質疑語に対する検索を実行し、その検索結果を表示部１２を通じてユーザに提供することで、検索がなされる。図１で、未説明の符号１５は、サーバと通信するための通信部である。
【００１４】
前記構成を有する本発明によるコンテンツ検索システムを搭載した情報端末機のコンテンツ検索システムについて図２を参照して、具体的に説明する。図２は、本発明によるコンテンツ検索システムを搭載した情報端末機に搭載されるコンテンツ検索システムの一実施形態によるブロック図である。前記コンテンツ検索システムは、携帯電話、ＰＭＰ、カラオケ機器、テレマティクス機器、ユビキタス端末機などの情報端末機で実行されるソフトウェア形態のコンテンツ検索エンジンであって、質疑語入力部１３０と、質疑語分析部１４０と、情報検索部１５０と、検索結果表示部１６０と、コンテンツ提供部１７０とを含んでなる。本発明で情報端末機は、携帯電話、ＰＤＡ、ＰＭＰ、ナビゲーション装置、カラオケ機器、テレマティクス機器、ユビキタス端末機など各種のコンテンツ情報を提供する端末機を通称する。
【００１５】
前記質疑語入力部１３０は、質疑語入力用のユーザインターフェース（ＵＩ）を提供し、これを通じてユーザから質疑語を入力される。例えば、コンテンツ検索システムが、ナビゲーションシステムに適用された場合には、前記質疑語入力部１３０を通じてユーザは検索しようとする地名などを入力することができる。もし、コンテンツ検索システムが、カラオケ機器に適用された場合には、前記質疑語入力部１３０を通じてユーザは検索しようとする曲名などを入力することができる。例えば、コンテンツ検索システムが、電子辞書に適用された場合には、前記質疑語入力部１３０を通じてユーザは検索しようとする単語名などを入力することができる。
【００１６】
前記質疑語分析部１４０は、前記質疑語入力部１３０によって入力された質疑語を分析する。例えば、前記質疑語入力部１３０によって入力された質疑語が、‘タワー’と仮定すれば、前記質疑語分析部１４０は、前記質疑語入力部１３０を通じて入力された質疑語が、‘タ’、‘ワ’、‘ー’の音節からなり、初声が‘タ’、‘ワ’であり、‘タ’、‘ワー’という文字からなされたように質疑語を分析することができる。
【００１７】
前記情報検索部１５０は、前記質疑語分析部１４０による分析結果から検索の類型を決定して、前記索引情報データベース１１０から類型別検索を実行し、検索結果に対する優先順位を決定して出力する。具体的に、前記情報検索部１５０は、多数の類型別検索エージェント１５１と、検索類型決定部１５２と、検索エージェント管理部１５３と、検索結果出力部１５４とを含む。
【００１８】
前記多数の類型別検索エージェント１５１は、前記索引情報データベース１１０を参照して、類型別検索を実行する検索ソフトウェアモジュールである。例えば、前記類型別検索エージェント１５１は、前記質疑語分析部１４０によって分析された質疑語の初声によって検索を実行する検索ソフトウェアモジュール、前記質疑語分析部１４０によって分析された質疑語中の一部範囲の単語によって検索を実行する検索ソフトウェアモジュールなどであり、前記類型別検索を実行する検索ソフトウェアモジュールは、本件の出願日前に検索分野で既に多様に公知されて施行される通常の技術なので、これについての具体的な説明は省略する。
【００１９】
前記検索類型決定部１５２は、前記質疑語分析部１４０による分析結果から検索の類型を決定する。すなわち、この検索類型決定部１５２は、前記質疑語分析部１４０によって分析された質疑語の初声によって検索を実行するか、質疑語中の一部範囲の単語によって検索を実行するか、それともその他の類型で検索を実行するかを決定する。この際、前記検索類型決定部１５２によって決定される類型が、例えば、初声による検索と一部範囲の単語による検索とを同時に検索類型と決定するように複数で決定されることもある。前記検索類型は、本件の出願日前に検索分野で既に多様に公知されて施行される通常の技術なので、これについての具体的な説明は省略する。
【００２０】
前記検索エージェント管理部１５３は、前記検索類型決定部１５２によって決定された類型の検索エージェント１５１を実行して管理する。この際、前記検索類型決定部１５２によって検索類型が複数で決定された場合、前記検索エージェント管理部１５３が、検索エージェント１５１を複数で実行して管理する。
【００２１】
前記検索結果出力部１５４は、前記類型別検索エージェント１５１によって検索された検索結果に優先順位を決定し、該決定された優先順位によって検索結果を出力した。例えば、前記検索エージェント管理部１５３の管理下に類型別検索エージェント１５１が実行されて質疑語‘タワー’に対する検索結果が、‘タワーパレス’、‘ソウルタワー’、‘スタータワー’、‘ワールドタワー’、‘プリマタワービル’のように導出されたと仮定すれば、前記検索結果出力部１５４は、検索された検索結果に優先順位を決定し、該決定された優先順位によって検索結果を出力する。前記検索結果に対する優先順位決定は、本件の出願日前に既に多様に公知されて施行される通常の技術なので、これについての具体的な説明は省略する。
【００２２】
前記検索結果表示部１６０は、前記情報検索部１５０から出力される検索結果を表示するが、該表示される検索結果からコンテンツ項目を選択されるためのユーザインターフェースを提供し、これを通じてユーザからコンテンツ項目を選択される。この際、前記検索結果表示部１６０が、前記検索結果出力部１５４によって決定された優先順位によって検索結果を画面表示することが望ましい。
【００２３】
前記コンテンツ提供部１７０は、前記検索結果表示部１６０によって選択されたコンテンツ項目に対応するコンテンツを前記コンテンツデータベース１２０から読み出して提供する。すなわち、前記検索結果表示部１６０によって優先順位によって検索結果が出力されれば、ユーザは、この検索結果のうちから所望のコンテンツ項目を選択する。前記検索結果に含まれる各コンテンツ項目は、コンテンツデータベース１２０に保存されたコンテンツと連動されているので、ユーザは、所望のコンテンツ項目のみ選択することによってコンテンツを簡便に提供されうる。したがって、本発明は、情報検索技術とコンテンツ提供技術とを有機的に結合してユーザのコンテンツ接近が迅速で容易である。
【００２４】
前記構成を有するコンテンツ検索システムの検索動作を図３を参照して、説明する。図３は、本発明によるコンテンツ検索システムを搭載した情報端末機に搭載されるコンテンツ検索システムの検索手続きを示すフローチャートである。まず、段階Ｓ１１０で、コンテンツ検索システムが、質疑語入力部１３０を通じて質疑語入力用のユーザインターフェース（ＵＩ）を提供し、ユーザから質疑語を入力される。
【００２５】
前記段階Ｓ１１０によって質疑語がユーザから入力されれば、コンテンツ検索システムが、段階Ｓ２１０で、質疑語分析部１４０を通じてユーザから入力された質疑語を分析する。
【００２６】
前記段階Ｓ１２０によって質疑語が分析されれば、コンテンツ検索システムが、段階Ｓ１３０で、情報検索部１５０を通じて質疑語検索結果から検索類型を決定し、索引情報データベース１１０から類型別検索を実行し、検索結果に対する優先順位を決定して出力する。
【００２７】
前記段階Ｓ１３０によって検索結果が出力されれば、コンテンツ検索システムが、段階Ｓ１４０で、検索結果表示部１６０を通じて出力される検索結果に対する優先順位によって検索結果を表示するが、該表示される検索結果からコンテンツ項目をユーザから選択される。
【００２８】
前記段階Ｓ１４０によってユーザからコンテンツ項目が選択されれば、コンテンツ検索システムが、段階Ｓ１５０で、コンテンツ提供部１７０を通じて選択されたコンテンツ項目に対応するコンテンツをコンテンツデータベース１２０から読み出して提供することで、ユーザのコンテンツ接近を容易にする。
【００２９】
一方、本発明の付加的な態様によれば、コンテンツ検索システムが、コンテンツ入力部１８０と、コンテンツ保存部１９０と、コンテンツ情報抽出部２００と、コンテンツ情報分析部２１０と、索引情報処理部２２０とをさらに含みうる。
【００３０】
前記コンテンツ入力部１８０は、コンテンツを入力される。この際、前記コンテンツ入力部１８０が、コンテンツ入力用のユーザインターフェース（ＵＩ）を提供し、これを通じてコンテンツをユーザから入力されうる。これとは違って、前記コンテンツ入力部１８０が、サーバ接続及びコンテンツダウンロード用のユーザインターフェース（ＵＩ）を提供し、これを通じてユーザがサーバからコンテンツを選択してダウンロードされることもある。これとは違って、前記コンテンツ入力部１８０が、サーバからコンテンツを自動で更新されることもある。
【００３１】
前記コンテンツ保存部１９０は、前記コンテンツ入力部１８０によって入力されるＭＰ３などの曲情報、ナビゲーションシステムのマップ情報、電子辞書の単語情報、動画情報、テレマティクス情報、ユビキタス情報などの各種のオンラインコンテンツを前記コンテンツデータベース１２０に保存する。
【００３２】
前記コンテンツ情報抽出部２００は、前記コンテンツ入力部１８０によって入力されるコンテンツからコンテンツ情報を抽出する。例えば、前記コンテンツ入力部１８０によって入力されるコンテンツがＭＰＥＧ４方式の動画コンテンツであれば、この動画コンテンツ内には、ＭＰＥＧ−７技術者によって定義されるコンテンツ情報が含まれるので、前記コンテンツ情報抽出部２００は、動画コンテンツからコンテンツ情報を抽出することができる。コンテンツデータから当該コンテンツの情報を抽出する技術は、本件の出願日前に既に多様に公知されて施行される通常の技術なので、これについての具体的な説明は省略する。
【００３３】
前記コンテンツ情報分析部２１０は、前記コンテンツ情報抽出部２００によって抽出されたコンテンツ情報を分析して索引対象情報を抽出する。具体的に、前記コンテンツ情報分析部２１０は、構文分析部２１１と、切断分析部２１２とを含む。前記構文分析部２１１は、コンテンツ情報を構文分析する構成であって、構文分析技術は、本件の出願日前に既に多様に公知されて施行される通常の技術なので、これについての詳細な説明は省略する。前記切断分析部２１２は、コンテンツ情報を切断分析する構成であって、これも本件の出願日前に既に多様に公知されて施行される通常の技術なので、これについての詳細な説明は省略する。
【００３４】
例えば、前記コンテンツ情報抽出部２００によって抽出されたコンテンツ情報が、‘ソウルスタータワー’と仮定すれば、前記構文分析部２１１によって形態が分析されて‘ソウル’、‘スター’、‘タワー’が索引対象情報として抽出され、前記切断分析部２１２によってＮ−ｇｒａｍ分析されて‘ソウル’、‘ウルス’、‘スター’、‘ターター’、‘タワー’、‘ソウルス’、‘ウルスター’、・・・、‘ソウルスタータワー’などが全文（Ｆｕｌｌ−Ｔｅｘｔ）を対象とする索引対象情報として抽出される。
【００３５】
前記索引情報処理部２２０は、前記コンテンツ情報分析部２１０によって抽出された索引対象情報を分析、分類及び価値付けして索引情報を生成させ、これを構造化して前記索引情報データベース１１０に保存する。前記索引対象情報を分析、分類及び価値付けして索引情報を生成させる技術は、本件の出願日前に既に多様に公知されて施行される通常の技術なので、これについての詳細な説明は省略する。
【００３６】
したがって、本発明は、前記コンテンツ入力部１８０によって入力されるコンテンツを前記コンテンツ保存部１９０を通じて前記コンテンツデータベース１２０に保存し、前記コンテンツ情報抽出部２００を通じては、前記コンテンツ入力部１８０によって入力されるコンテンツからコンテンツ情報を抽出し、これを前記コンテンツ情報分析部２１０を通じて分析して索引対象情報を抽出し、前記索引情報処理部２２０を通じて抽出された索引対象情報を分析、分類及び価値付けして索引情報を生成させ、これを構造化して前記索引情報データベース１１０に保存することで、コンテンツ及び索引情報をデータベース化する。
【００３７】
図４を参照して、コンテンツ検索システムの索引情報保存動作を説明する。図４は、本発明によるコンテンツ検索システムを搭載した情報端末機に搭載されるコンテンツ検索システムの索引情報保存手続きを示すフローチャートである。まず、段階Ｓ２１０で、コンテンツ検索システムが、コンテンツ入力部１８０を通じてコンテンツを入力される。前記段階Ｓ２１０によってコンテンツが入力されれば、コンテンツ検索システムは、段階Ｓ２２０で、コンテンツ保存部１９０を通じて入力されたコンテンツをコンテンツデータベース１２０に保存する。
【００３８】
次いで、コンテンツ検索システムは、段階Ｓ２３０で、コンテンツ情報抽出部２００を通じて前記Ｓ２１０段階によって入力されるコンテンツからコンテンツ情報を抽出し、段階Ｓ２４０で、コンテンツ情報分析部２１０を通じて前記段階Ｓ２３０によって抽出されたコンテンツ情報を分析して索引対象情報を抽出し、段階Ｓ２５０で、索引情報処理部２２０を通じて前記段階Ｓ２４０によって抽出された索引対象情報を分析、分類及び価値付けして索引情報を生成させ、これを構造化して索引情報データベース１１０に保存する。これにより、ユーザのコンテンツ接近が容易なコンテンツ検索システムの質疑語検索及びコンテンツ提供時に参照される索引情報データベース１１０及びコンテンツデータベース１２０が構築される。
【００３９】
本発明は、添付した図面によって参照される望ましい実施形態を中心に記述されたが、このような記載から特許請求の範囲によって包括される範囲内で本発明の範疇を外れずに多様な変形が可能であるということは明白である。
【産業上の利用可能性】
【００４０】
本発明は、コンテンツ検索システムを搭載した情報端末機関連の技術分野に適用可能である。
【符号の説明】
【００４１】
１０：情報端末機
１１：操作部
１２：表示部
１３：メモリ
１４：制御部
１５：通信部
１１０：索引情報データベース
１２０：コンテンツデータベース
１３０：質疑語入力部
１４０：質疑語分析部
１５０：情報検索部
１５１：検索エージェント
１５２：検索類型決定部
１５３：検索エージェント管理部
１５４：検索結果出力部
１６０：検索結果表示部
１７０：コンテンツ提供部
１８０：コンテンツ入力部
１９０：コンテンツ保存部
２００：コンテンツ情報抽出部
２１０：コンテンツ情報分析部
２１１：構文分析部
２１２：切断分析部
２２０：索引情報処理部
【図１】
2010501927.tif 000003
【図２】
2010501927.tif 000004
【図３】
2010501927.tif 000005
【図４】
2010501927.tif 000006
【国際調査報告】
2010501927.tif 000007
2010501927.tif 000008